(57)【要約】【課題】記録ディスクメディアの高密度記録化を図ることができるとともに、ドライブ装置に対する操作安定性に優れた記録ディスクカートリッジを提供する。【解決手段】カートリッジケース１０は、カートリッジケース１０の上壁を構成する上シェル１１と、カートリッジケース１０の下壁を構成する下シェル１２と、カートリッジケース１０の周壁の一部を構成するフレーム部材１３とを有し、上シェル１１及び下シェル１２の少なくとも一方には、カートリッジケース１０の周壁の他部を構成する折り曲げ部１１２ｃ、１１２ｄが一体形成され、折り曲げ部１１２ｃ、１１２ｄの外側面５１１、５１２は、フレーム部材１３の外側面１４１ａ、１４２ａ、１４３ａ、１４４ａよりも記録ディスクメディア３０寄りに位置することを特徴とする記録ディスクカートリッジ１。【選択図】図６
2007141298.tif 000002
【特許請求の範囲】
【請求項１】
記録ディスクメディアと、前記記録ディスクメディアを回転自在に収容するカートリッジケースと、を備え、ドライブ装置に挿入されて使用される記録ディスクカートリッジであって、
前記カートリッジケースは、前記記録ディスクメディアの上方に配置されて当該カートリッジケースの上壁を構成する金属プレートからなる上シェルと、前記記録ディスクメディアの下方に配置されて当該カートリッジケースの下壁を構成する金属プレートからなる下シェルと、前記記録ディスクメディアの半径方向外側に配置され、前記上シェルと前記下シェルとの間に挟まれて当該カートリッジケースの周壁の一部を構成する合成樹脂製のフレーム部材と、を有し、
前記上シェル及び前記下シェルの少なくとも一方には、前記カートリッジケースの周壁の他部を構成する折り曲げ部が、前記金属プレートを折り曲げ加工することにより、前記ドライブ装置への挿入方向と平行に、平面視直線状に一体形成され、
前記折り曲げ部の外側面は、前記ドライブ装置への挿入方向と平行な前記フレーム部材の外側面と面一、又は、前記ドライブ装置への挿入方向と平行な前記フレーム部材の外側面よりも前記記録ディスクメディア寄りに位置することを特徴とする記録ディスクカートリッジ。
【請求項２】
前記折り曲げ部に隣接する前記フレーム部材の端部には、前記フレーム部材の外側面から前記折り曲げ部に向かって傾斜するテーパ部が形成されていることを特徴とする請求項１に記載の記録ディスクカートリッジ。
【請求項３】
前記フレーム部材は、前記折り曲げ部の長手方向の端部の外側面を覆う被覆部を有することを特徴とする請求項１または請求項２に記載の記録ディスクカートリッジ。
【請求項４】
前記折り曲げ部は、前記上シェル及び前記下シェルの対向する位置にそれぞれ設けられており、互いに重なり合って前記カートリッジケースの周壁の他部を構成していることを特徴とする請求項１乃至請求項３のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。ここで、図１１（ａ）は、従来の記録ディスクカートリッジの上側を前方左側から見下ろした様子を示す斜視図、図１１（ｂ）は、この記録ディスクカートリッジを後方左側から見上げた様子を示す斜視図である。
従来の記録ディスクカートリッジ８００は、図１１（ａ）及び（ｂ）（従来図）に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。かかる記録ディスクカートリッジ８００は、その前側から専用のドライブ装置（図示省略）に挿入されて使用される。
【０００４】
従来の記録ディスクカートリッジ８００は、図１１（ａ）及び（ｂ）に示すように、前端部の周壁の一部が記録ディスクメディア８３０の形状に沿って円弧状に形成されている。そして、カートリッジケース８１０は、金属プレートにしぼり加工を施すことにより、前端部の円弧状の周壁を上半分に形成した上シェル８１１、下半分に形成した下シェル８１２とから構成されている。そして、カートリッジケース８１０は、上シェル８１１と下シェル８１２とを、当該カートリッジケース８１０の周壁の上下方向中間位置において上下から突き合わせて接合することにより一体に形成されている。
【０００５】
【特許文献１】米国特許第６２５６１６８号明細書
【発明の開示】
【発明が解決しようとする課題】
【０００６】
ところで、従来の記録ディスクカートリッジ８００の構造では、しぼり加工を施して、上シェル８１１及び下シェル８１２の周壁を形成した際に、折り曲げ箇所で加工ひずみが生じる。そのために、カートリッジケース８１０の上壁及び下壁を構成する平坦面には、反りやうねりが生じる場合がある。そして、このような反りやうねりが生じると、記録ディスクメディア８３０の安定した回転が妨げられるために、記録ディスクメディア８３０の高密度記録化を図ることができないという問題点があった。
そこで、カートリッジケース８１０の左右両側の平面視直線状の周壁のみを折り曲げ加工で形成するとともに、前側の円弧状の周壁を合成樹脂製のフレーム部材で形成することにより、しぼり加工によるひずみを回避することが考えられる。
【０００７】
しかしながら、カートリッジケース８１０の周壁を、金属プレートと合成樹脂の２部材で構成すると、両者の寸法に誤差が生じ易い。この誤差によって、左右両側の直線部（折り曲げ部）が、前側に位置する合成樹脂製のフレーム部材よりも左右に張り出すと、ドライブ装置に対する出し入れ操作が不安定となる。また、記録ディスクカートリッジ８００の出し入れの際に、金属製の直線部（折り曲げ部）がドライブ装置の内側面（例えば、ガイド部）と擦れ合って、ドライブ装置の内側面を削ってしまうおそれがある。そして、この削り屑が記録ディスクカートリッジ８００の中に侵入すると、記録ディスクメディア８３０を汚損する。また、記録ディスクメディア８３０が高密度記録化されると、従来は問題とならなかった程度の削り屑による汚損であっても、記録ディスクメディア８３０に対する適正な記録再生が阻害されることとなる。
【０００８】
そこで、本発明は、記録ディスクメディア８３０の高密度記録化を図ることができるとともに、ドライブ装置に対する操作安定性に優れた記録ディスクカートリッジを提供することを課題とする。
【課題を解決するための手段】
【０００９】
前記課題を解決するための手段として、請求項１に係る発明は、記録ディスクメディアと、前記記録ディスクメディアを回転自在に収容するカートリッジケースと、を備え、ドライブ装置に挿入されて使用される記録ディスクカートリッジであって、前記カートリッジケースは、前記記録ディスクメディアの上方に配置されて当該カートリッジケースの上壁を構成する金属プレートからなる上シェルと、前記記録ディスクメディアの下方に配置されて当該カートリッジケースの下壁を構成する金属プレートからなる下シェルと、前記記録ディスクメディアの半径方向外側に配置され、前記上シェルと前記下シェルとの間に挟まれて当該カートリッジケースの周壁の一部を構成する合成樹脂製のフレーム部材と、を有し、前記上シェル及び前記下シェルの少なくとも一方には、前記カートリッジケースの周壁の他部を構成する折り曲げ部が、前記金属プレートを折り曲げ加工することにより、前記ドライブ装置への挿入方向と平行に、平面視直線状に一体形成され、前記折り曲げ部の外側面は、前記ドライブ装置への挿入方向と平行な前記フレーム部材の外側面と面一、又は、前記ドライブ装置への挿入方向と平行な前記フレーム部材の外側面よりも前記記録ディスクメディア寄りに位置することを特徴とする記録ディスクカートリッジである。
【００１０】
このような構成によれば、左右両側の折り曲げ部の外側面のそれぞれが張り出していないので、ドライブ装置に対して出し入れする際の操作安定性が優れている。そして、外側面がドライブ装置の内側面を削ることもない。そして、削り屑が発生することがないので、記録ディスクメディアを汚損することもない。
【００１１】
請求項２に係る発明は、前記折り曲げ部に隣接する前記フレーム部材の端部には、前記フレーム部材の外側面から前記折り曲げ部に向かって傾斜するテーパ部が形成されていることを特徴とする記録ディスクカートリッジである。
【００１２】
このような構成によれば、フレーム部材の端部がドライブ装置の内側面に接触したとしても、引っかかることがなく、挿入及び取出し操作が安定する。また、記録ディスクカートリッジの持ち運びの際に、フレーム部材の端部がポケット等に引っかかることを防ぐことができる。
【００１３】
請求項３に係る発明は、前記フレーム部材は、前記折り曲げ部の長手方向の端部の外側面を覆う被覆部を有することを特徴とする記録ディスクカートリッジである。
【００１４】
このような構成によれば、折り曲げ部の端部とフレーム部材の端部とが隣接する部位から、塵埃等が記録ディスクカートリッジの内部に混入することを防ぐことができる。
【００１５】
請求項４に係る発明は、前記折り曲げ部は、前記上シェル及び前記下シェルの対向する位置にそれぞれ設けられており、互いに重なり合って前記カートリッジケースの周壁の他部を構成していることを特徴とする記録ディスクカートリッジである。
【００１６】
このような構成によれば、上シェルの折り曲げ部及び下シェルの折り曲げ部が、上シェル及び下シェルの対向する位置にそれぞれ設けられ、互いに隙間なく重ねられていることにより、塵埃等が記録ディスクカートリッジの内部に混入することを防ぐことができる。
【発明の効果】
【００１７】
本発明によれば、記録ディスクメディアの高密度記録化を図ることができるとともに、ドライブ装置に対する操作安定性に優れた記録ディスクカートリッジを提供することができる。
【発明を実施するための最良の形態】
【００１８】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は本実施形態に係るカートリッジケースの構造を上方からみた平面図である。図４は、本実施形態に係る記録ディスクカートリッジから下シェル及びハブ孔シャッタを取外した際の様子を下方からみた平面図である。図５は、本実施形態に係るロータリシャッタを示す斜視図であり、（ａ）は前方斜め上方からみた図、（ｂ）は後方斜め下方からみた図である。図６（ａ）は図３中のＰ部拡大図であり、図６（ｂ）は図３中のＱ部拡大図である。図７（ａ）は図３中のＲ部拡大図であり、図７（ｂ）は図３中のＳ部拡大図である。図８は、本実施形態に係る記録ディスクカートリッジをドライブ装置に挿入する際の様子を示す斜視図である。
なお、本実施形態において方向を説明する場合は、図１に示す前、後、右、左、上、下、を基準として説明する。また、図４中、下シェルのガイド溝及びハブ孔シャッタは、便宜上、仮想線（二点鎖線）で示している。
【００１９】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、各ライナ６０をロータリシャッタ２０の内面に固着する接着層と、を主に備えている。そして、このような記録ディスクカートリッジ１は、専用のドライブ装置Ｄ（図８参照）に、その前側から挿入されて使用される。
【００２０】
＜カートリッジケース１０＞
カートリッジケース１０は、図１（ａ）及び（ｂ）に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄ（図８参照）から取り出す際に把持し易くなっている。
【００２１】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図８参照）の動作に干渉しない形状となっている。
【００２２】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２３】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２４】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２５】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、折り曲げ部１２２ｃ、１２２ｄが、折り曲げ部１１２ｃ、１１２ｄの内側に入るように、カートリッジケース１０が組み立てられたときに、折り曲げ部１１２ｃと折り曲げ部１２２ｃとが隙間なく重なり合って、カートリッジケース１０の右端部１０ｃにおける周壁の一部を構成するようになっている。これと同様に、折り曲げ部１１２ｄと折り曲げ部１２２ｄとが隙間なく重なり合って、左端部１０ｄにおける周壁の一部を構成するようになっている。
【００２６】
さらに、上シェル１１は、その中央部に、ロータリシャッタ２０を回動可能に止め付けるセンタピン５０と係合する係合孔１１３を有している。
【００２７】
一方、下シェル１２は、その中央部に、記録ディスクメディア３０のハブ３２を外部に臨ませるハブ孔１２３を有している。そして、記録ディスクカートリッジ１がドライブ装置Ｄ（図８参照）に装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２８】
［フレーム部材１３］
フレーム部材１３は、図３に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００２９】
図４に示すように、アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａ（図１（ａ）参照）の形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂ（図１（ａ）参照）の形状に沿って平面視で略直線形状に形成されている。
【００３０】
また、アーチ状フレーム１３１は、カートリッジケース１０の内部と外部を連通させる係合溝１３１ｅを有している。この係合溝１３１ｅは、後記するロック片７０が係合する溝である。
【００３１】
Ｖノッチ部材１３３は、後記するように閉方向に付勢されるロータリシャッタ２０を閉位置で止めるストッパとしての役割と、ドライブ装置Ｄ（図８参照）との係合部としての役割とを担う部材であり、左端部１０ｄ（図１（ａ）参照）の前側に配置されている。
【００３２】
そして、再び図２を参照すると、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００３３】
次に、本実施形態に係る記録ディスクカートリッジ１のフレーム部材１３と折り曲げ部１１２ｄ、１１２ｃ、１２２ｄ、１２２ｃの位置関係について説明する。
【００３４】
カートリッジケース１０の右端部１０ｃ（図１（ａ）参照）の前方寄りの部分は、図６（ａ）に示すように、折り曲げ部１１２ｃ（上シェル１１）及び折り曲げ部１２２ｃ（下シェル１２）と、アーチ状フレーム１３１の一部で構成されている。
【００３５】
そして、上シェル１１の折り曲げ部１１２ｃの外側面５１１は、アーチ状フレーム１３１の外側面１４１ａから幅Ｌ１の分だけ、記録ディスクメディア３０（図１（ａ）参照）寄りに位置する構造となっている。
なお、本実施形態では、幅Ｌ１が、上シェル１１の厚さＬ２と同程度に設定されている。
この幅Ｌ１は好ましくは、約０．１５ｍｍ〜約０．２ｍｍである。この幅Ｌ１は、本発明の趣旨を逸脱しない範囲で変更することができる。
【００３６】
カートリッジケース１０の右端部１０ｃ（図１（ａ）参照）の後方寄りの部分は、図６（ｂ）に示すように、折り曲げ部１１２ｃ（上シェル１１）及び折り曲げ部１２２ｃ（下シェル１２）と、ベースフレーム１３２の一部で構成されている。
【００３７】
そして、上シェル１１の折り曲げ部１１２ｃの外側面５１１は、ベースフレーム１３２の外側面１４２ａから幅Ｌ１の分だけ、記録ディスクメディア３０（図１（ａ）参照）寄りに位置する構造となっている。
なお、本実施形態では、幅Ｌ１が、上シェル１１の厚さＬ２と同程度に設定されている。
この幅Ｌ１は、好ましくは、約０．１５ｍｍ〜約０．２ｍｍである。この幅Ｌ１は、本発明の趣旨を逸脱しない範囲で変更することができる。
【００３８】
カートリッジケース１０の左端部１０ｄ（図１（ａ）参照）の前方寄りの部分は、図７（ａ）に示すように、折り曲げ部１１２ｄ（上シェル１１）及び折り曲げ部１２２ｄ（下シェル１２）と、Ｖノッチ部材１３３の一部で構成されている。
【００３９】
そして、上シェル１１の折り曲げ部１１２ｄの外側面５１２は、Ｖノッチ部材１３３の外側面１４３ａから幅Ｌ１の分だけ、記録ディスクメディア３０（図１（ａ）参照）寄りに位置する構造となっている。
なお、本実施形態では、幅Ｌ１が、上シェル１１の厚さＬ２と同程度に設定されている。
この幅Ｌ１は、好ましくは、約０．１５ｍｍ〜約０．２ｍｍである。この幅Ｌ１は、本発明の趣旨を逸脱しない範囲で変更することができる。
【００４０】
カートリッジケース１０の左端部１０ｄ（図１（ａ）参照）の後方寄りの部分は、図７（ｂ）に示すように、折り曲げ部１１２ｄ（上シェル１１）及び折り曲げ部１２２ｄ（下シェル１２）と、ベースフレーム１３２の一部で構成されている。
【００４１】
そして、上シェル１１の折り曲げ部１１２ｄの外側面５１２は、ベースフレーム１３２の外側面１４４ａから幅Ｌ１の分だけ、記録ディスクメディア３０（図１（ａ）参照）寄りに位置する構造となっている。
なお、本実施形態では、幅Ｌ１は、上シェル１１の厚さＬ２と同程度に設定されている。
この幅Ｌ１は、好ましくは、約０．１５ｍｍ〜約０．２ｍｍである。この幅Ｌ１は、本発明の趣旨を逸脱しない範囲で変更することができる。
【００４２】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図５参照）。
【００４３】
ロータリシャッタ２０は、図２及び図５に示すように、記録ディスクメディア３０を外部に臨ませる切欠部２０１を有している（図８参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００４４】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図８参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図８参照）。
【００４５】
また、ロータリシャッタ２０は、図示しない付勢手段（例えば渦巻きばね）によって、閉方向（図４、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図８参照）。
【００４６】
ちなみに、本発明において、前記付勢手段は必須の構成要素ではなく、ドライブ装置Ｄ（図８参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４７】
このようなロータリシャッタ２０は、図２及び図５に示すように、金属プレートからなる上シャッタ２１及び下シャッタ２２と、これらの間に介在した合成樹脂製のシャッタウォール２３と、を備えて構成されている。
【００４８】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００４９】
また、上シャッタ２１は、その中央部に、前記したセンタピン５０を挿通させるための挿通孔２１２を有している。
【００５０】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００５１】
さらに、下シャッタ２２の下面には、ロータリシャッタ２０を回動させるためのシャッタノブ２４が取り付けられている（図１（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図８参照）。
【００５２】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図４、図５参照）。
【００５３】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００５４】
また、ロック片７０の先端部７１は、係合溝１３１ｅを介して、記録ディスクカートリッジ１の右側方に臨んでいる。そして、記録ディスクカートリッジ１がドライブ装置Ｄ（図８参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００５５】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００５６】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００５７】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図８参照）のスピンドル（図示省略）にチャックされるチャック部３２１を備えている（図１（ｂ）参照）。
【００５８】
＜ハブ孔シャッタ４０＞
図２に戻って説明を続ける。
ハブ孔シャッタ４０は、下シェル１２とハブ３２との間の隙間Ｗ（図８参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｗ（図８参照）を開閉するようになっている。
【００５９】
第１シャッタ４１及び第２シャッタ４２は、それぞれ、平面視で半円状の板状部材である。第１シャッタ４１は、その一方側に、軸孔４１１を有している。同様に、第２シャッタ４２は、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００６０】
また、第１シャッタ４１は、その他方側に、ハブ３２と嵌り合うように半円形状に切り欠かれた嵌合部４１２を有している。同様に、第２シャッタ４２は、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｗを閉じるようになっている。
【００６１】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｗを開閉するように設計されている。
【００６２】
≪記録ディスクカートリッジの作用効果≫
次に、記録ディスクカートリッジ１の動作を説明しつつ、記録ディスクカートリッジ１の作用効果について説明する。
【００６３】
ロータリシャッタ２０は、図８右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００６４】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４、矢印Ａ２参照）。
【００６５】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６６】
そして、図８左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００６７】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００６８】
次に、このようなロータリシャッタ２０の動作に連動するハブ孔シャッタ４０について説明する。
ハブ孔シャッタ４０は、図８右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｗを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｗを塞いでいる。これにより、この隙間Ｗからカートリッジケース１０内への塵埃の侵入が防止されており、その結果として、記録ディスクメディア３０等が保護されている。
【００６９】
そして、記録ディスクカートリッジ１がドライブ装置Ｄに挿入されて、前記したように、ロータリシャッタ２０が回動すると、この回動に連動して、ハブ孔シャッタ４０が隙間Ｗを開く。さらに説明すると、ロータリシャッタ２０が回動すると、下シャッタ２２の係合突起２２３ａ、２２３ｂも回動する（図４、矢印Ａ４、Ａ４参照）。
【００７０】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４、矢印Ａ５参照）。
【００７１】
このように第１シャッタ４１及び第２シャッタ４２がそれぞれ回動すると、ハブ孔シャッタ４０は隙間Ｗを開き、これと共に、ハブ孔シャッタ４０によるハブ３２の挟持状態は解除される（図８左側参照）。その結果として、ハブ３２及びこれを備える記録ディスクメディア３０は、ハブ３２にチャックするドライブ装置Ｄのスピンドル（図示省略）により、良好に回転することができる。
【００７２】
なお、記録ディスクカートリッジ１がドライブ装置Ｄから取り出されると、閉位置に戻るロータリシャッタ２０に連動して、ハブ孔シャッタ４０は隙間Ｗを閉じる。
【００７３】
そして、この記録ディスクカートリッジ１では、図６、図７を参照して説明したように、カートリッジケース１０の右端部１０ｃ及び左端部１０ｄにおいて、折り曲げ部１１２ｃ（上シェル１１）、１１２ｄ（上シェル１１）の外側面５１１、５１２は、隣接するフレーム部材１３の外側面１４１ａ、１４２ａ、１４３ａ、１４４ａよりも記録ディスクメディア３０寄りに位置する。つまり、この記録ディスクカートリッジ１では、左右両側の折り曲げ部１１２ｃ（上シェル１１）、１１２ｄ（上シェル１１）の外側面５１１、５１２のそれぞれが張り出していないので、ドライブ装置Ｄに対して出し入れする際の操作安定性が優れている。そして、外側面５１１、５１２がドライブ装置Ｄの内側面を削ることもない。そして、削り屑が発生することがないので、記録ディスクメディア３０を汚損することもない。
また、折り曲げ部１１２ｃ（上シェル１１）、１１２ｄ（上シェル１１）及び折り曲げ部１２２ｃ（下シェル１２）、１２２ｄ（下シェル１２）が、上シェル１１及び下シェル１２の対向する位置にそれぞれ設けられ、互いに隙間なく重ねられていることにより、塵埃等が記録ディスクカートリッジ１の内部に混入することを防ぐことができる。
【００７４】
以上のような記録ディスクカートリッジ１によれば、記録ディスクメディアの高密度記録化を図ることができるとともに、ドライブ装置に対する操作安定性に優れた記録ディスクカートリッジを提供することができる。
【００７５】
以上、本発明の好適な実施形態について説明したが、本発明は前記実施形態に限定されるものではない。
以下に、本発明の他の実施形態について、適宜、図面を参照しながら説明する。
図９は、テーパ部を設けたアーチ状フレームを示す図であり、図６（ａ）に対応する部分を示す図である。図１０は折り曲げ部の端部を覆う被覆部を設けたアーチ状フレームを示す図であり、図６（ａ）に対応する部分を示す図である。
【００７６】
図９に示すように、折り曲げ部１１２ｃ（上シェル１１）に隣接するアーチ状フレーム１３１の端部１５１ａには、アーチ状フレーム１３１の外側面１４１ａから折り曲げ部１１２ｃ（上シェル１１）の外側面５１１に向かって傾斜するようなテーパ部５１３が形成されている。
なお、図示しないが、アーチ状フレーム１３１と同様に、ベースフレーム１３２の端部１５２ａ（図６（ｂ）参照）にも、ベースフレーム１３２の外側面１４２ａ（図６（ｂ）参照）から折り曲げ部１１２ｃ（上シェル１１）（図６（ｂ）参照）の外側面５１１（図６（ｂ）参照）に向かって傾斜するようなテーパ部が形成されている。
また、図示しないが、右端部１０ｃと同様に、左端部１０ｄにおいても、折り曲げ部１１２ｄ（上シェル１１）（図７（ａ）（ｂ）参照）に隣接するＶノッチ部材１３３及びベースフレーム１３２の端部１５３ａ、１５４ａ（図７（ａ）（ｂ）参照）にも外側面１４３ａ、１４４ａ（図７（ａ）（ｂ）参照）から折り曲げ部１１２ｄ（上シェル１１）の外側面５１２（図７（ａ）（ｂ）参照）に向かって傾斜するようなテーパ部が形成されている。
これにより、フレーム部材１３の端部１５１ａ、１５２ａ、１５３ａ、１５４ａがドライブ装置Ｄのスロットに接触したとしても、引っかかることがなく、挿入及び取出し操作が安定する。また、記録ディスクカートリッジ１の持ち運びの際に、フレーム部材１３の端部１５１ａ、１５２ａ、１５３ａ、１５４ａがポケット等に引っかかることを防ぐことができる。
【００７７】
図１０に示すように、アーチ状フレーム１３１は、折り曲げ部１１２ｃ（上シェル１１）の端部５１５ａの外側面を覆う被覆部５１４を有する構造となっている。
前記構造により、折り曲げ部１１２ｃ（上シェル１１）の長手方向の端部５１５ａがアーチ状フレーム１３１の端部１５１ａの内側に入り込むようになっている。
なお、図示しないが、アーチ状フレーム１３１と同様に、ベースフレーム１３２（図６（ｂ）参照）においても、折り曲げ部１１２ｃ（上シェル１１）（図６（ｂ）参照）の長手方向の端部５１６ａ（図６（ｂ）参照）の外側面５１１（図６（ｂ）参照）を覆う被覆部を有する構造となっている。
また、図示しないが、右端部１０ｃと同様に、左端部１０ｄにおいても、Ｖノッチ部材１３３及びべースフレーム１３２（図７（ａ）（ｂ）参照）において、折り曲げ部１１２ｄ（上シェル１１）（図７（ａ）（ｂ）参照）の端部５１７ａ、５１８ａ（図７（ａ）（ｂ）参照）の外側面５１２（図７（ａ）（ｂ）参照）を覆う被覆部を有する構造となっている。
これにより、記録ディスクカートリッジ１は、折り曲げ部１１２ｃ（上シェル１１）、１１２ｄ（上シェル１１）の端部５１５ａ、５１６ａ、５１７ａ、５１８ａとフレーム部材１３の端部１５１ａ、１５２ａ、１５３ａ、１５４ａとが隣接する部位から、塵埃等が記録ディスクカートリッジ１の内部に混入することを防ぐことができる。
【００７８】
また、折り曲げ部１１２ｃ（上シェル１１）の外側面５１１は、フレーム部材１３の外側面１４１ａ、１４２ａと面一となるように、そして、折り曲げ部１１２ｄ（上シェル１１）の外側面５１２は、フレーム部材１３の外側面１４３ａ、１４４ａと面一となるように形成されていてもよい。また、被覆部にテーパ部を形成してもよい。
【図面の簡単な説明】
【００７９】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係るカートリッジケースの構造を上方からみた平面図である。
【図４】本実施形態に係る記録ディスクカートリッジから下シェル及びハブ孔シャッタを取外した際の様子を下方からみた平面図である。
【図５】本実施形態に係るロータリシャッタを示す斜視図であり、（ａ）は前方斜め上方からみた図、（ｂ）は後方斜め下方からみた図である。
【図６】（ａ）は図３中のＰ部拡大図であり、（ｂ）は図３中のＱ部拡大図である。
【図７】（ａ）は図３中のＲ部拡大図であり、（ｂ）は図３中のＳ部拡大図である。
【図８】本実施形態に係る記録ディスクカートリッジをドライブ装置に挿入する際の様子を示す斜視図である。
【図９】他の実施形態に係る記録ディスクカートリッジのアーチ状フレームの拡大図である。
【図１０】他の実施形態に係る記録ディスクカートリッジのアーチ状フレームの拡大図である。
【図１１】（ａ）は、従来の記録ディスクカートリッジの上側を前方左側から見下ろした様子を示す斜視図であり、（ｂ）は、この記録ディスクカートリッジを後方左側から見上げた様子を示す斜視図である。
【符号の説明】
【００８０】
１      記録ディスクカートリッジ
１０    カートリッジケース
１０ａ  前端部
１０ｂ  後端部
１０ｃ  右端部
１０ｄ  左端部
１１  上シェル
１２  下シェル
１３    フレーム部材
２０    ロータリシャッタ
３０    記録ディスクメディア
３１    フレキシブルディスク
４０    ハブ孔シャッタ
１０１  アクセス用開口部
１１２ｃ，１１２ｄ  折り曲げ部
１２２ｃ，１２２ｄ  折り曲げ部
１３１  アーチ状フレーム
１３２  ベースフレーム
１３３  Ｖノッチ部材
１４１ａ  アーチ状フレームの外側面
１４２ａ、１４４ａ  ベースフレームの外側面
１４３ａ  Ｖノッチ部材の外側面
１５１ａ  アーチ状フレームの端部
１５２ａ、１５４ａ  ベースフレームの端部
１５３ａ  Ｖノッチ部材の端部
５１３  テーパ部
５１４  被覆部
５１５ａ、５１６ａ、５１７ａ、５１８ａ  折り曲げ部の長手方向の端部
Ｄ  ドライブ装置
【図１】
2007141298.tif 000003
【図２】
2007141298.tif 000004
【図３】
2007141298.tif 000005
【図４】
2007141298.tif 000006
【図５】
2007141298.tif 000007
【図６】
2007141298.tif 000008
【図７】
2007141298.tif 000009
【図８】
2007141298.tif 000010
【図９】
2007141298.tif 000011
【図１０】
2007141298.tif 000012
【図１１】
2007141298.tif 000013